(57)【要約】【課題】折板屋根の耐久性を向上することが可能であるとともに、植物および室内に対する熱的環境を改善することも可能であり、さらに排水性能にも優れる折板屋根緑化システムを提供する。【解決手段】山部Ｐの稜線方向が斜めになるように傾斜させて設置した折板屋根１の当該山部間に掛け渡して折板屋根の山部の稜線方向と交差する方向に設置固定された複数の支持材３と、これら支持材上に、深溝４ａおよび浅溝４ｂを折板屋根の山部の稜線方向に沿わせて折板屋根を覆って設置され、当該折板屋根の谷部Ｖとの間に適宜な空間Ｓを隔てて緑化基盤５を支持する波板状の支持基板４とを備えた。【選択図】図１
2006025768.tif 000002
【特許請求の範囲】
【請求項１】
山部の稜線方向が斜めになるように傾斜させて設置した折板屋根の当該山部間に掛け渡して上記折板屋根の山部の稜線方向と交差する方向に設置固定された複数の支持材と、これら支持材上に、溝部を上記折板屋根の山部の稜線方向に沿わせて該折板屋根を覆って設置され、当該折板屋根の谷部との間に適宜な空間を隔てて緑化基盤を支持する波板状の支持基板とを備えたことを特徴とする折板屋根緑化システム。
【請求項２】
前記支持基板の縁部には、排水部材が設けられていることを特徴とする請求項１に記載の折板屋根緑化システム。
【請求項３】
前記緑化基盤は、前記支持基板に固定された断熱性透水層の上に、植物が植栽される植栽層が形成されて構成されることを特徴とする請求項１または２に記載の折板屋根緑化システム。
【請求項４】
前記植栽層が土壌であることを特徴とする請求項３に記載の折板屋根緑化システム。
【請求項５】
前記支持基板には、前記折板屋根の山部の稜線方向と交差する方向に沿って前記土壌の移動を規制する堰部材が設けられることを特徴とする請求項４に記載の折板屋根緑化システム。
【請求項６】
前記支持基板の溝部と前記緑化基盤との間に灌水用配管が設けられることを特徴とする請求項１〜５いずれかの項に記載の折板屋根緑化システム。
【発明の詳細な説明】
【技術分野】
【０００１】
本発明は、折板屋根の耐久性を向上することが可能であるとともに、植物および室内に対する熱的環境を改善することも可能であり、さらに排水性能にも優れる折板屋根緑化システムに関する。
【背景技術】
【０００２】
折板屋根上を緑化する提案としては、例えば特許文献１〜３が知られている。特許文献１は、ほぼ有底Ｖ字形状の谷形状部と、谷形状部の幅方向両上端から外方に向かって形成された半山形状部と、半山形状部の外端に形成された連結部を有する屋根板材と、排水部と、栽培部とからなり、複数の屋根板材が連結部を介して連結されて屋根が構成され、それぞれの谷形状部には排水部が設置され、排水部上に栽培部が設置されてなる「緑化屋根」を開示している。
【０００３】
特許文献２は、山形部が所定間隔で連続する折板屋根と、山形部の頂部箇所に設けられる支持具と、支持具にて山形部に固定される溝板とからなり、折板屋根の山形部の長手方向と溝板の長手方向とがほぼ直交するようにして、山形部の頂部に複数の溝板が並設され、溝板には植栽マット材が敷設されてなる「緑化屋根」を開示している。
【０００４】
特許文献３は、山形部が所定間隔をおいて連続形成され、山形部が長手方向に沿って勾配を有することがある折板屋根と、溝板支持部の幅方向両側に取付脚部が形成され、折板屋根の山形部頂部箇所に装着する支持具と、底面部の幅方向両側に立上り側部が形成されてなる溝板と、溝板を溝板支持部上に固定する固定部材とからなり、山形部に固定された複数の支持具間に溝板が山形部の長手方向に直交するようにして配置され、かつ固定部材にて固定され、それぞれの溝板には栽培部が敷設されてなる「緑化屋根」を開示している。
【特許文献１】特開２００３−２７８３３１号公報
【特許文献２】特開２００３−１８４２３８号公報
【特許文献３】特開２００３−３２１９０６号公報
【発明の開示】
【発明が解決しようとする課題】
【０００５】
ところで、特許文献１にあっては、折板屋根自体の谷形状部を利用して排水部と栽培部とを設置しているため、折板屋根が栽培部に滞留しまた排水部から排出されていく水分に晒されて、発錆するなど、早期に劣化してしまうという課題があった。また折板屋根が日射などに晒されて熱くなると、その熱によって栽培部が加熱されて、植物の根が枯れ死してしまうとともに、折板屋根で覆われた室内の熱環境に悪影響を及ぼすという課題もあった。また、特許文献２および３はいずれにあっても、勾配が設定されることのある山形部に対し、これと直交させて、植栽マット材や栽培部が敷設される溝板を配置しているため、溝板内の植栽マット材や栽培部に滞留する水分を重力の作用などによって容易かつ円滑に排水することができず、これにより根腐れなどが発生しやすいという課題があった。
【０００６】
本発明は上記従来の課題に鑑みて創案されたものであって、折板屋根の耐久性を向上することが可能であるとともに、植物および室内に対する熱的環境を改善することも可能であり、さらに排水性能にも優れる折板屋根緑化システムを提供することを目的とする。
【課題を解決するための手段】
【０００７】
本発明にかかる折板屋根緑化システムは、山部の稜線方向が斜めになるように傾斜させて設置した折板屋根の当該山部間に掛け渡して上記折板屋根の山部の稜線方向と交差する方向に設置固定された複数の支持材と、これら支持材上に、溝部を上記折板屋根の山部の稜線方向に沿わせて該折板屋根を覆って設置され、当該折板屋根の谷部との間に適宜な空間を隔てて緑化基盤を支持する波板状の支持基板とを備えたことを特徴とする。
【０００８】
前記支持基板の縁部には、排水部材が設けられていることを特徴とする。
【０００９】
前記緑化基盤は、前記支持基板に固定された断熱性透水層の上に、植物が植栽される植栽層が形成されて構成されることを特徴とする。
【００１０】
前記植栽層が土壌であることを特徴とする。
【００１１】
前記支持基板には、前記折板屋根の山部の稜線方向と交差する方向に沿って前記土壌の移動を規制する堰部材が設けられることを特徴とする。
【００１２】
前記支持基板の溝部と前記緑化基盤との間に灌水用配管が設けられることを特徴とする。
【発明の効果】
【００１３】
本発明にかかる折板屋根緑化システムにあっては、折板屋根の耐久性を向上することができるとともに、植物および室内に対する熱的環境を改善することもでき、さらに優れた排水性能を確保することができる。
【発明を実施するための最良の形態】
【００１４】
以下に、本発明にかかる折板屋根緑化システムの好適な一実施形態を、添付図面を参照して詳細に説明する。本実施形態にかかる折板屋根緑化システムは基本的には、図１〜図５に示すように、山部Ｐの稜線方向Ｄが斜めになるように傾斜させて設置された折板屋根１の当該山部Ｐの適宜位置に設置される複数の取付具２と、これら取付具２間に掛け渡して折板屋根１の山部Ｐの稜線方向Ｄと交差する方向に設置固定された複数の支持材３と、これら支持材３上に、溝部である深溝４ａおよび浅溝４ｂを折板屋根１の山部Ｐの稜線方向Ｄに沿わせて折板屋根１を覆って設置され、当該折板屋根１の谷部Ｖとの間に適宜な空間Ｓを隔てて緑化基盤５を支持する波板状の支持基板４とを備えて構成される。
【００１５】
また、支持基板４の縁部には、樋などの排水部材６が設けられる。緑化基盤５は、ファスナー７を介して支持基板４に固定され、かつ上面から下面に向かって連続した多数の排水経路を有する断熱性透水層８の上に、植物９が植栽される植栽層１０が形成されて構成される。植栽層１０は、植物９が育成するのに必要な適度の保水性と、根腐れを生じないような適度の排水性を有する材料で形成すればよく、一般の土壌の他に、ピートモス等の苔類の堆積物や間伐材のチップを固めた人工材料等が用いられる。支持基板４には、折板屋根１の山部Ｐの稜線方向Ｄと交差する方向に沿って土壌の移動を規制する堰部材１１が設けられる。支持基板４の深溝４ａと緑化基盤５との間に灌水用配管１２が設けられる。
【００１６】
折板屋根１はよく知られているように、山部Ｐと谷部Ｖとが連続されて波板形態で形成される。具体的には、おおよそＵ字形状の複数の屋根片１３を敷き並べて、隣接する屋根片１３同士を山部Ｐ位置で互いに嵌合もしくははぜ締めすることで形成される。図示例にあっては、折板屋根１は平面外形輪郭が矩形状に形成されている。通常、折板屋根１は、山部Ｐの稜線方向Ｄが斜めになるように、山部Ｐの稜線方向Ｄに沿う幅方向一端縁を上縁部１ａとし他端縁を下縁部１ｂとして、傾斜させて設置される（図２および図５参照）。本実施形態にかかる折板屋根緑化システムは、折板屋根１が既設であるか、新設であるかを問わず適用することができる。
【００１７】
折板屋根１が備える多数の山部Ｐのうち、適宜な山部Ｐ、そしてまた当該山部Ｐの適宜位置には、取付具２が設置される。取付具２の設置位置は、折板屋根１上に設置される緑化基盤５等の荷重分布を斟酌しつつ、支持材３の配置を考慮して種々様々に決定される。取付具２は、本実施形態にあっては図２に示すように、折板屋根１の屋根面に、傾斜方向へ向かって千鳥状の配置で、上部に３つ、中央部に２つ、下部に３つ設置されている。緑化基盤５の重量が大きい場合には碁盤の目状に、上部に３つ、中央部に３つ、下部に３つ設置することも考えられる。
【００１８】
取付具２は具体的には、座部１４ａ、座部１４ａの両端から同じ方向に突出された一対の脚部１４ｂおよびこれら一対の脚部１４ｂの先端から互いに向かい合うように内側に折り曲げられた一対の爪部１４ｃとから断面ほぼＣ字形状に形成されたグリップ１４と、一対の脚部１４ｂ間に掛け渡して螺着され、締め込まれることでこれら脚部１４ｂ同士の間隔を狭める締め込みネジ１５とから構成される。この取付具２は、折板屋根１の嵌合箇所を挟んで形成される一対の平坦部１６上に一対の爪部１４ｃを載せ、かつこれら爪部１４ｃを当該平坦部１６に連続する一対の嵌め込み溝１７にそれぞれ嵌め込んだ状態で、締め込みネジ１５を締め込んで脚部１４ｂの間隔を狭めることにより、平坦部１６上に載せられた爪部１４ｃの嵌め込み溝１７への嵌め込み状態が保持されて、折板屋根１の山部Ｐに固定される。
【００１９】
取付具２の座部１４ａ上には、少なくとも２つの取付具２間に掛け渡して支持材３が設置される。これら支持材３は、折板屋根１の山部Ｐの稜線方向Ｄと交差する方向、例えば直交する方向（図示例にあっては、折板屋根１の長さ方向）に設置される。従って、支持材３の向きは、稜線方向Ｄに対し直交する方向以外であってもよい。本実施形態にあっては図２に示すように、支持材３は、折板屋根１の長さ方向全長にわたる長さで長尺に形成され、上記３−２−３で配置された取付具２の設置位置に、稜線方向Ｄと直交させて３本設けられている。
【００２０】
支持材３は、もちろん緑化基盤５の大きさに合わせて、折板屋根１の長さよりも短く形成してもよく、またその本数を加減しても良い。支持材３として本実施形態にあっては、軽量かつ良好な取り扱い性を考慮して、Ｃ形チャンネル材が採用されている。このＣ形チャンネル材でなる支持材３は、図示しない留め具にて取付具２に対し固定される。もちろん必要剛性等を考慮して、アングル材や中空角形パイプなどのチャンネル材以外の支持材３を用いるようにしても良い。取付具２は、これら支持材３に合わせて、適宜な形態のものが用いられる。
【００２１】
これら支持材３の上には、少なくとも２本の支持材２間に掛け渡して支持基板４が設置され、これにより支持基板４の下側には、折板屋根１の谷部Ｖとの間に適宜な空間Ｓが形成される。この空間Ｓは、折板屋根１の幅方向に下縁部１ｂから上縁部１ａにわたって一連に、かつ長さ方向に多数形成される。支持基板４は、その平面外形寸法の範囲で折板屋根１を覆って設置されるもので、折板屋根１全面を覆う場合に限らず、部分的に覆う場合も含まれる。この支持基板４は、平坦部４ｃを介して深溝４ａと浅溝４ｂとが交互に隣接するように波板状に形成されている。そのため、通常の平板よりも断面性能が高いので、薄くすることができ、軽量化を図ることができる。この支持板４の深溝４ａ部分が支持材３上に当接されて設置される。特にこの支持基板４は、これら深溝４ａおよび浅溝４ｂがともに、折板屋根１の山部Ｐの稜線方向Ｄに沿うように、換言すれば折板屋根１の傾斜方向に沿うように配置される。この支持基板４は耐蝕性の素材で形成することが好ましく、適宜位置で支持材３に対し耐蝕性のビス１８などにより接合される。
【００２２】
また、この支持基板４にはその周端縁、特に図３に示すように、折板屋根１の下縁部１ｂ側の下端縁４ｄに位置させて、樋などの排水部材６が設けられる。排水部材６は、この下端縁４ｄ側を挟んで折板屋根１の山部Ｐの稜線に沿う両側の側端縁４ｅにも設けるようにしてもよい。この排水部材６は、支持基板４の下端縁４ｄや側端縁４ｅに接合しても、あるいは図示例のように、支持基板４の下端縁４ｄや側端縁４ｅに臨ませる配置で折板屋根１の下縁部１ｂや側縁部に接合しても良い。後述する支持基板４と折板屋根１との間の良好な通気性を考慮すれば、排水部材６は折板屋根１に取り付けることが好ましい。その場合においても、図３に示すように、支持基板４の下端縁４ｄを折板屋根１の下縁部１ｂより突出させるとともに、排水部材６を折板屋根１の下縁部１ｂに設ければ、折板屋根１全面を支持基板４上の植栽層１０で覆い隠すことができて美観的にも優れた緑化屋根を形成できるだけでなく、支持基板４からの排水と折板屋根１からの排水を単一の排水部材６で兼用して排水できるので、省力化した構成とすることができる。
【００２３】
支持基板４上には、上述したように当該支持基板４により、折板屋根１の谷部Ｖとの間に適宜な空間Ｓを隔てて、緑化基盤５が支持される。緑化基盤５は、図示しないけれども、発泡させるなどの手法で網目のように多数の排水経路が形成された、例えばポリスチレンからなる軽量な断熱性透水層８と、断熱性透水層８の上に形成され、植物９が植栽される植栽層１０とから構成される。排水経路は、発泡などの手段によらず、多数の細穴を穿孔するなどの方法で形成してもよい。
【００２４】
断熱性透水層８は、植栽層１０に過剰に水が溢れて、植物９の根の浮き上がりや土壌の流出などが生じないように、また、植栽層１０に余剰な水が滞留して、根腐れが生じないように、これらの過剰水や余剰水を支持基板４の深溝４ａに速やかに排水し、植栽層１０に常に、植物９を育成するのに必要な適度の水分を維持すべく植栽層１０の排水を調整するものであって、植栽層１０からの排水を支持基板４に向けて通過させる多数の排水経路を有するものであればよく、例えば、多孔質の材料や海綿状の材料で形成してもよい。また、植栽層１０からの肥料を含む排水が流通されることから、耐蝕性や耐候性を有する材料、例えば無機質材料や合成樹脂材料で形成してもよい。さらに、軽量で断熱性能を有することも望ましいことから、これを兼ね備えた発泡性の合成樹脂材料で形成することが好ましい。
【００２５】
断熱性透水層８は、合成樹脂製など耐蝕性を有する適宜なファスナー７によって支持基板４に対し固定される。植栽層１０は本実施形態にあっては、断熱性透水層８上に土壌を盛り土することによって形成される。そしてこの盛り土された土壌に、植物９が植えられる。そして当該緑化基盤５を支持する支持基板４の浅溝４ｂおよび深溝４ａは、植栽層１０および断熱性透水層８の排水経路から流出される水分を、折板屋根１の傾斜を利用して自然排水する排水路として機能される。
【００２６】
支持基板４には、断熱性透水層８上の土壌が飛散したり、折板屋根１の傾きに従って移動し崩落するのを規制するために、折板屋根１の山部Ｐの稜線方向Ｄ、すなわち折板屋根１の傾斜方向と交差する方向、本実施形態にあっては図２に示すように折板屋根１の長さ方向に沿って堰部材１１が固設される。図示例にあっては堰部材１１は支持材３位置に対応させて、折板屋根１の幅方向に互いに間隔を隔てて３本設けられている。堰部材１１の設置数は、土壌の量や折板屋根１の傾斜角度に応じて、適宜に設定すればよい。
【００２７】
この堰部材１１は、支持基板４から植栽層１０よりも上方へ突出される高さを有する長尺な板材で形成される。植栽層１０から突出された突出部分１１ａについては、崩落して移動しようする土壌を受け止めるために、傾斜方向上方へ向けて折り曲げて形成することも可能である。堰部材１１は、植栽層１０や排水経路を有する断熱性透水層８に貫入して設けられることから、耐蝕性を有する合成樹脂材もしくは金属材で形成することが好ましい。本実施形態にあっては、堰部材１１により土壌の飛散・崩落を防止するようにしているが、植物９の根が伸張して土壌を包み込み、さらには断熱性透水層８の排水経路などへ進入するようになることで、これによっても土壌の飛散や崩落を防止することが可能となる。
【００２８】
また、緑化基盤５の断熱性透水層８の下面とその直下の支持基板４の深溝４ａとの間には、これらに挟み込んでかつ深溝４ａの長さ方向に沿って、断熱性透水層８の排水経路による毛細管現象を利用して、必要に応じて給水するための灌水用配管１２が設けられる。灌水用配管１２からの給水圧を高く設定する場合には、断熱性透水層８に比較的大きな給水穴を穿設するようにしても良い。この灌水用配管１２も、耐蝕性を有する合成樹脂材や金属材で形成することが好ましい。さらに、緑化基盤５の植栽層１０上には、周縁に位置させて、植栽層１０への給水を行いかつこれにより土壌の飛散を防止する灌水用チューブ１９が設けられるとともに、適宜位置に位置させて、灌水用のスプリンクラー２０が設けられる。
【００２９】
以上の構成を備える本実施形態にかかる折板屋根緑化システムの作用について説明すると、既設もしくは新設を問わず、折板屋根１上に当該緑化システムを設置するに際しては、グリップ１４を締め込みネジ１５で取り付けて取付具２を山部Ｐに複数個設置し、次いで、取付具２間に掛け渡して支持材３を設置し、次いで、支持材３上にビス１８などで支持基板４を設置する。この際、適宜な深溝４ａにこれに沿って灌水用配管１２を装着する。その後、支持基板４上に緑化基盤５を構成する断熱性透水層８を載せ、この断熱性透水層８を支持基板４に対してファスナー７などで固定する。この際、支持基板４に固定して堰部材１１も取り付ける。その後さらに、断熱性透水層８の上に、植栽層１０として土壌を盛り土する。またこの植栽層１０の上には、必要に応じて、灌水用チューブ１９やスプリンクラー２０を設備する。
【００３０】
このようにして折板屋根１を利用して設置される緑化システムにあっては、植栽層１０の下側に断熱性透水層８を設けたので、降雨による過剰な水は断熱性透水層８を通じて支持基板４の深溝４ａに速やかに排水され、植栽層１０に過剰水が溢れて、植物９の根の浮き上がりや土壌の流出などが生じることを防止できるとともに、植栽層１０に余剰水が滞留して、根腐れが生じることもなく、また必要に応じて、灌水用チューブ１９やスプリンクラー２０から水を補給することによって、植栽層１０には常に、植物９を育成するのに必要な適度の水分を保水することができる。
【００３１】
さらに、植栽層１０に滞留しまたこれより排出される排水を、支持基板４の深溝４ａおよび浅溝４ｂで受けて排水することができ、排水を折板屋根１で受けることがないので、当該折板屋根１の耐久性を向上することができる。また、折板屋根１は上述したように、屋根片１３を互いに嵌合したりはぜ締めすることで構成されることから、折板屋根１で排水を受けるようにすると当該嵌合部分等の水仕舞いの問題もあるが、このような問題も解決することができる。特に、山部Ｐの稜線方向Ｄが斜めになるように傾斜させて設置される折板屋根１に対し、支持基板４を、深溝４ａおよび浅溝４ｂが当該山部Ｐの稜線方向Ｄに沿うように設置したので、これら深溝４ａおよび浅溝４ｂは支持基板４の下端縁４ｄに向かって傾斜されることとなり、容易かつ円滑に排水することができ、これにより緑化基盤５に過度に水分が滞留されることで発生する根腐れなどを防止することができる。
【００３２】
また、図５に示すように、緑化基盤５を支持基板４で支持するようにし、この支持基板４と折板屋根１の谷部Ｖとの間に、折板屋根１の下縁部１ｂから上縁部１ａに向かって一連に連通する多数の空間Ｓを形成するようにしたので、この空間Ｓを利用して通気させることができ、折板屋根１が日射などに晒されて加熱されても、また緑化基盤５が相当の熱量を吸収しても、空間Ｓによる断熱作用に通気作用が相俟ってこれにより熱を奪い、緑化基盤５側および折板屋根１側の温度上昇を抑えることができて、植物９の根が枯れ死することを防止できるとともに、折板屋根１で覆われた室内の熱環境も快適に維持することができる。
【００３３】
また、緑化基盤５を、植栽層１０の下に断熱性透水層８を設置して構成したので、この断熱性透水層８が有する断熱性能によっても、植栽層１０に吸収された熱が折板屋根１側、ひいては室内に放熱されることを阻止でき、これによっても室内の熱的環境を良好に維持することができる。さらに、植栽層１０を土壌としたので、十分に灌水を実施することができ、これによる植栽層１０の土壌面および植物９の葉面からの蒸散作用によって生じる気化熱で温度を降下させることができて、室内に対する断熱効果を向上できるとともに、ヒートアイランド現象も効果的に抑制することができる。
【００３４】
折板屋根１に対し、山部Ｐの適宜位置に設置可能な取付具２と、取付具２の配置に従って掛け渡す支持材３とで支持基板４を支持するようにしたので、緑化基盤５の荷重分に応じてこれら取付具２の配置や個数を調整することによって、支持材３の配置や本数を調節することが可能であり、緑化基盤５を折板屋根１上に適切に搭載して支持することができる。また、取付具２、Ｃ形チャンネル材でなる支持材３、波板状の支持基板４および断熱性透水層８により全体構成を軽量化でき、優れた取り扱い性で施工することができる。他方、支持基板４の下端縁４ｄや側端縁４ｅに排水部材６を設けたので、緑化基盤５からの排水で折板屋根１周辺が汚損されることを防止しつつ、支持基板４から効率よく排水することができる。さらに、支持基板４の下端縁４ｄを折板屋根１の下縁部１ｂより突出させて、排水部材６を折板屋根１の下縁部１ｂに設ければ、折板屋根１全面を支持基板４上の植栽層１０で覆い隠すことができて美観的にも優れた緑化屋根を形成できるだけでなく、支持基板４からの排水と折板屋根１からの排水を単一の排水部材６で兼用して排水できるので、省力化した構成を確保することができる。
【００３５】
また、堰部材１１を設けたことにより、土壌分の飛散や崩落を防止できて植栽層１０を、強固に固形化されたあるいは袋詰めされた土壌を用いることなく、盛り土した土壌や柔らかめに固形化された土壌により形成することができるとともに、また地震時の水平力に対しても植栽層１０の位置ずれを押さえて、折板屋根１上に保持することができる。また土壌分の飛散防止等については、土壌に根付いた植物９自体の根によっても確保することができる。また、灌水用配管１２を、支持基板４の深溝４ａを利用して緑化基盤５下に設けるようにしたので、緑化基盤内に灌水用配管を設置した場合にメンテナンスが困難であるのに対し、本実施形態にあっては灌水用配管１２を深溝４ａから引き出すことができて、容易に灌水用配管１２の保守や交換を実施することができる。
【図面の簡単な説明】
【００３６】
【図１】本発明にかかる折板屋根緑化システムの好適な一実施形態を示す要部拡大正面断面図である。
【図２】図１に示す折板屋根緑化システムの概略平面図である。
【図３】図１の折板屋根緑化システムに設けられる排水部材周辺を示す要部概略側面図である。
【図４】図１の折板屋根緑化システムに設けられる堰部材周辺を示す要部概略側断面図である。
【図５】図１の折板屋根緑化システムによって得られる熱環境を説明するための、図２中Ａ−Ａ線概略断面図である。
【符号の説明】
【００３７】
１  折板屋根
２  取付具
３  支持材
４  支持基板
４ａ  深溝
４ｂ  浅溝
５  緑化基盤
６  排水部材
７  ファスナー
８  断熱性透水層
９  植物
１０  植栽層
１１  堰部材
１２  灌水用配管
Ｄ  山部の稜線方向
Ｐ  折板屋根の山部
Ｓ  空間
Ｖ  折板屋根の谷部
【図１】
2006025768.tif 000003
【図２】
2006025768.tif 000004
【図３】
2006025768.tif 000005
【図４】
2006025768.tif 000006
【図５】
2006025768.tif 000007